(57)【要約】【課題】船舶通信サービスゲートウェイ装置及び船舶通信サービス提供方法を提供する。【解決手段】本発明は、船舶通信サービスゲートウェイ装置であって、船舶の外部網との無線送受信データを処理する外部網インターフェースと、船舶の内部網との送受信データを処理する内部網インターフェースと、外部網インターフェースから無線受信された外部メッセージを船舶内の内部網アドレス体系を有した内部メッセージに変換して、内部網インターフェースに伝送し、内部網インターフェースから受信された内部メッセージを外部網アドレス体系を有した外部メッセージに変換して、外部網インターフェースに伝送するサービスマネージャー部と、を含む。【選択図】図２Ａ
2014132743.tif 000002
【特許請求の範囲】
【請求項１】
船舶の外部網との無線送受信データを処理する外部網インターフェースと、
船舶の内部網との送受信データを処理する内部網インターフェースと、
前記外部網インターフェースから無線受信された外部メッセージを船舶内の内部網アドレス体系を有した内部メッセージに変換して、前記内部網インターフェースに伝送し、前記内部網インターフェースから受信された内部メッセージを外部網アドレス体系を有した外部メッセージに変換して、前記外部網インターフェースに伝送するサービスマネージャー部と、を含むことを特徴とする船舶通信サービスゲートウェイ装置。
【請求項２】
前記内部メッセージが、マルチキャスト伝送されるようにプロトコル処理するマルチキャストモジュールをさらに含み、
前記サービスマネージャー部は、
前記内部メッセージを前記マルチキャストモジュールに伝送して、前記内部網インターフェースを通じて１つ以上のユーザ端末にマルチキャスト伝送されるように制御することを特徴とする請求項１に記載の船舶通信サービスゲートウェイ装置。
【請求項３】
前記内部網インターフェースは、
無線網の送受信データを処理するアクセスポイントインターフェースと、
有線網の送受信データを処理するイーサネットインターフェースと、を含むことを特徴とする請求項１に記載の船舶通信サービスゲートウェイ装置。
【請求項４】
前記外部網インターフェース部は、
メッシュネットワークインターフェース部であることを特徴とする請求項１に記載の船舶通信サービスゲートウェイ装置。
【請求項５】
船舶内のゲートウェイ装置での船舶通信サービス提供方法において、
外部網から外部メッセージを無線受信する段階と、
前記受信された外部メッセージを船舶内の内部網アドレス体系を有した内部メッセージに変換する段階と、
前記変換された内部メッセージを内部網の１つ以上のユーザ端末に伝送する段階と、を含むことを特徴とする船舶通信サービス提供方法。
【請求項６】
前記変換する段階と前記伝送する段階との間に、
前記内部メッセージが、マルチキャスト伝送されるようにプロトコル処理する段階をさらに含むことを特徴とする請求項５に記載の船舶通信サービス提供方法。
【請求項７】
前記伝送する段階は、
前記内部メッセージを有線または無線伝送することを特徴とする請求項５に記載の船舶通信サービス提供方法。
【請求項８】
船舶内のゲートウェイ装置での船舶通信サービス提供方法において、
船舶の内部網から内部メッセージを受信する段階と、
前記受信された内部メッセージを外部網アドレス体系を有した外部メッセージに変換する段階と、
前記変換された内部メッセージを外部網に無線伝送する段階と、を含むことを特徴とする船舶通信サービス提供方法。
【発明の詳細な説明】
【技術分野】
【０００１】
本発明は、海事サービス（Ｍａｒｉｔｉｍｅ  Ｓｅｒｖｉｃｅ）を提供するための船舶内の制限されたネットワークでの応用サービスゲートウェイ装置及びそのサービス提供方法に関する。
【背景技術】
【０００２】
ＩＭＭＡＲＳＡＴなどの衛星通信の高速化と低軌道衛星を使ったＶＳＡＴ（Ｖｅｒｙ  Ｓｍａｌｌ  Ａｐｅｒｔｕｒｅ  Ｔｅｒｍｉｎａｌ）の発達、及び地上移動通信技術の海上移動通信高速化につれて、広域通信を利用した海事サービスの提供が活性化されると見込まれる。
【０００３】
一方、最近、携帯コンピュータユーザは、無線インターネットを通じてインターネットサーバに接続して、多様なコンテンツ情報を利用している。このように、携帯用コンピュータで多様なコンテンツ情報を利用するために、携帯用コンピュータユーザは、コンピュータ端末の内部または外部に装着された無線モデム装置を起動させて、無線インターネットネットワークを通じてインターネットサーバに接続する。
【０００４】
航海する船舶で使われる無線ＬＡＮ端末機に無線インターネットサービスを提供するためには、船舶の移動によって、このような無線インターネット網を選択的に支援することができるインターネット提供技術が要求される。
【先行技術文献】
【特許文献】
【０００５】
【特許文献１】韓国特許公開２００２−００７６１０８号公報
【発明の概要】
【発明が解決しようとする課題】
【０００６】
本発明の課題は、陸上サーバとのサービス安全性、他船舶からのサービス安全性を提供する応用サービスゲートウェイを提供することによって、安全かつ便利な海事サービスを提供するところにある。
【課題を解決するための手段】
【０００７】
本発明は、船舶通信サービスゲートウェイ装置であって、船舶の外部網との無線送受信データを処理する外部網インターフェースと、船舶の内部網との送受信データを処理する内部網インターフェースと、前記外部網インターフェースから無線受信された外部メッセージを船舶内の内部網アドレス体系を有した内部メッセージに変換して、前記内部網インターフェースに伝送し、前記内部網インターフェースから受信された内部メッセージを外部網アドレス体系を有した外部メッセージに変換して、前記外部網インターフェースに伝送するサービスマネージャー部と、を含む。
【０００８】
本発明は、船舶内のゲートウェイ装置での船舶通信サービス提供方法であって、外部網から外部メッセージを無線受信する段階と、前記受信された外部メッセージを船舶内の内部網アドレス体系を有した内部メッセージに変換する段階と、前記変換された内部メッセージを内部網の１つ以上のユーザ端末に伝送する段階と、を含む。
【０００９】
本発明は、船舶内のゲートウェイ装置での船舶通信サービス提供方法であって、船舶の内部網から内部メッセージを受信する段階と、前記受信された内部メッセージを外部網アドレス体系を有した外部メッセージに変換する段階と、前記変換された内部メッセージを外部網に無線伝送する段階と、を含む。
【図面の簡単な説明】
【００１０】
【図１】本発明の一実施形態による船舶通信サービスのためのシステム構成図である。
【図２Ａ】本発明の一実施形態による船舶通信サービスゲートウェイ装置の構成図である。
【図２Ｂ】船舶通信サービスゲートウェイ装置の詳細構成例である。
【図３】本発明の一実施形態による船舶通信サービス提供方法での外部メッセージ受信過程を説明するフローチャートである。
【図４】本発明の一実施形態による船舶通信サービス提供方法での内部メッセージ受信過程を説明するフローチャートである。
【発明を実施するための形態】
【００１１】
以下、添付図面を参照して、本発明の実施のための具体例を詳しく説明する。後述する実施形態は、本発明の技術思想に対する理解のために例示的に記述されるものであって、本実施形態に、本発明の権利範囲が限定されると解釈されてはならない。
【００１２】
図１は、本発明の一実施形態による船舶通信サービスのためのシステム構成図である。
【００１３】
図１を参照すると、本発明による船舶通信サービスのためのシステムでは、船舶通信サービスゲートウェイ装置１００が船舶のように外部断絶されたサービス環境に設けられる。船舶通信サービスゲートウェイ装置１００は、陸上と他船とに位置する応用サーバ１０、２０からサービスメッセージを受信して、船舶内部のユーザ端末４０に伝達するか、ユーザ端末４０からメッセージを外部に伝達する通信中継サービスを提供する。
【００１４】
応用サーバは、サービスサーバ１０及びＶＴＳサーバ２０などが含まれ得る。ここで、サービスサーバ１０は、一般的なサービスを提供するためのサーバであり、海上交通サービス（Ｖｅｓｓｅｌ  Ｔｒａｆｆｉｃ  Ｓｅｒｖｉｃｅ：ＶＴＳ）サーバ２０は、ＶＴＳセンターなどを通じて提供されるサービスを提供する目的のサーバであって、ほとんどの船舶安全運航と関連したサービスを提供する。
【００１５】
このような応用サーバ１０、２０から伝送されたメッセージは、メッシュルーター３０を経由して船舶通信サービスゲートウェイ１００に伝達される。無線メッシュネットワーク（Ｗｉｒｅｌｅｓｓ  Ｍｅｓｈ  Ｎｅｔｗｏｒｋ）は、移動ノードどうしで互いに協力して多重ホップ方式で通信を行うものであって、本発明の実施形態によって、陸地の応用サーバと１つ以上の船舶に設けられた船舶通信サービスゲートウェイ装置１００との間に、このようなメッシュネットワーク方式によって通信が行われる。
【００１６】
ユーザ端末４０は、船舶通信サービスゲートウェイ装置１００と有線または無線接続可能な船舶内の装置あるいはサービス端末とを表わす。一実施形態として、スマートフォン、電子海図表示システム（Ｅｌｅｃｔｒｏｎｉｃ  Ｃｈａｒｔ  Ｄｉｓｐｌａｙ  ａｎｄ  Ｉｎｆｏｒｍａｔｉｏｎ  Ｓｙｓｔｅｍ：ＥＣＤＩＳ）、レーダー（Ｒａｄａｒ）、ビデオディスクレコーダー（Ｖｉｄｅｏｄｉｓｃ  Ｒｅｃｏｒｄｅｒ：ＶＤＲ）、高度情報システム（Ａｖａｎｃｅｄ  Ｉｎｆｏｒｍａｔｉｏｎ  Ｓｙｓｔｅｍ：ＡＩＳ）が含まれ得る。
【００１７】
図２Ａは、本発明の一実施形態による船舶通信サービスゲートウェイ装置の構成図である。
【００１８】
図２Ａを参照すると、船舶通信サービスゲートウェイ装置１００は、外部網インターフェース１１０、サービスマネージャー部１２０、及び内部網インターフェース１４０を含む。付加的に、マルチキャストモジュール１３０をさらに含む。
【００１９】
外部網インターフェース１１０は、船舶の外部網との無線送受信データを処理する。すなわち、外部網に連結されたサービスサーバ１０またはＶＴＳサーバ２０のような応用サーバから伝送されるデータを無線受信処理して出力する。本発明の一実施形態によって、外部網インターフェース１１０は、メッシュインターフェースであり得る。
【００２０】
内部網インターフェース１４０は、船舶の内部網との送受信データを処理する。すなわち、船舶の内部網に連結された１つ以上のユーザ端末４０との送受信データを処理するが、無線または有線で送受信され得る。
【００２１】
一実施形態によって、内部網インターフェース１４０は、データを無線送受信処理するアクセスポイントインターフェース１４１と、データ有／無線を処理するイーサネット（登録商標）インターフェース１４２と、を含み得る。
【００２２】
サービスマネージャー部１２０の外部メッセージ変換部１２１は、外部網インターフェース１１０から無線受信された外部メッセージを船舶内の内部網アドレス体系を有した内部メッセージに変換して、前記内部網インターフェース１４０に伝送する。
【００２３】
また、内部メッセージ変換部１２２は、内部網インターフェース１４０から受信された内部メッセージを外部網アドレス体系を有した外部メッセージに変換して、外部網インターフェース１１０に伝送する。
【００２４】
マルチキャストモジュール１３０は、内部メッセージがマルチキャスト伝送されるようにプロトコル処理して出力する。サービスマネージャー部１２０の外部メッセージ変換部１２１は、内部メッセージをマルチキャストモジュール１３０に伝送して、内部網インターフェース１４０を通じて１つ以上のユーザ端末にマルチキャスト伝送されるように制御することができる。
【００２５】
図２Ｂは、本発明の他の実施形態による船舶通信サービスゲートウェイ装置の詳細構成例である。
【００２６】
船舶通信サービスゲートウェイ装置１００は、サービスゲートウェイハードウェアプラットフォーム２００とサービスゲートウェイソフトウェアプラットフォーム２２０とで構成される。
【００２７】
ハードウェアプラットフォーム２００は、無線メッシュブリッジと無線アクセスポイントを制御するハードウェアに基づいたソフトウェアである外部網インターフェース２０１と、陸上や他船泊との無線ネットウイークを構成してインターフェースするためのイーサネットインターフェース２０２と、船舶内の無線ネットワークを構成するためのアクセスポイントインターフェース２０３及び外部網インターフェース２０１を通じて入ったパケットをＭＡＣアドレスによって処理するためのイーサネットブリッジ２０４と、で構成される。
【００２８】
イーサネットブリッジ２０４は、ブリッジングのための無線ＭＡＣフレームワークとメッシュプロトコル、ネットワーク機能を支援するためのネットワーク機能ブロックとで構成される。
【００２９】
ソフトウェアプラットフォーム２２０は、メッシュインターフェース２０１を通じて入力されたサービスデータをイーサネットブリッジ２０４、マルチキャストＵＤＰ／ＩＰスタック２２３とシステム機能ブロック２２２とを通じてサービスマネージャー２２１にデータを送受信するか、船舶内のイーサネットインターフェース２０２及びアクセスポイントインターフェース２０３を通じて入った装置データをネットワーク機能ブロック２２４、マルチキャストＵＤＰ／ＩＰスタック２２３及びシステム機能ブロック２２２を経てサービスマネージャー２２１にデータを送受信する機能ソフトウェアで構成されている。
【００３０】
また、無線アクセスポイントインターフェース２０３とイーサネットブリッジ２０４とを制御するためのメッシュ／ＡＰ制御マネージャー２２５がある。このようなメッシュ／ＡＰ制御マネージャー２２５は、無線ネットワーク構成のための構成器とブリッジを制御するためのブリッジマネージャーとを含んで構成することができる。
【００３１】
サービスマネージャー２２１は、サービスゲートウェアハードウェア及び制御機能基盤下で応用サービス整合機能を提供するためのソフトウェアブロックであり、システム機能ブロック２２２は、サービスマネージャー２２１で生成されたメッセージをマルチキャストプロトコルスタックを通じて伝達するためのシステム機能ブロックである。
【００３２】
サービスＧＷマネージャーは、陸上と他船舶あるいは船舶内のサービスを支援するためのサービスマネージャーと船舶内にマルチキャスト機能を活用するためのシステム機能ブロックとで構成されている。マルチキャストＵＤＰ／ＩＰスタック２２３は、船舶内にマルチキャスト機能を提供するためのプロトコルであるマルチキャスト支援ＵＤＰ／ＩＰ機能ブロックである。
【００３３】
図３は、本発明の一実施形態による船舶通信サービス提供方法での外部メッセージ受信過程を説明するフローチャートである。
【００３４】
図３を参照すると、船舶通信サービスゲートウェイ装置１００は、３１０段階で、外部網から外部メッセージを無線受信する。この際、メッシュネットワーク方式でデータが受信され得る。そして、３２０段階で、受信された外部メッセージを船舶内の内部網アドレス体系を有した内部メッセージに変換する。３３０段階で、前記内部メッセージが、マルチキャスト伝送されるようにプロトコル処理する。３４０段階で、変換された内部メッセージを内部網の１つ以上のユーザ端末に伝送する。この際、内部メッセージを有線または無線伝送するが、アクセスポイントインターフェースまたはイーサネットインターフェースを通じて出力される。
【００３５】
図４は、本発明の一実施形態による船舶通信サービス提供方法での内部メッセージ受信過程を説明するフローチャートである。
【００３６】
図４を参照すると、船舶通信サービスゲートウェイ装置１００は、４１０段階で、船舶の内部網から内部メッセージを受信する。４２０段階で、受信された内部メッセージを外部網アドレス体系を有した外部メッセージに変換する。そして、４３０段階で、変換された内部メッセージを外部網に無線伝送する。この際、メッシュネットワーク方式でデータが伝送され得る。
【００３７】
本発明の構成によれば、外部に接続が可能な無線メッシュネットワーク機能を活用して、陸上のサービスサーバ、他船泊のサーバと通信して、自船の制限されたネットワークでマルチキャストＩＰ通信機能を通じて外部サービスと内部装置との間のサービスゲートウェイ機能を提供することによって、サービスゲートウェイマネージャーを通じる外部と内部サービスを制御することによって、安全かつ使用が便利な海事サービスを提供することができる長所がある。
【００３８】
以上の説明は、本発明の一実施形態に過ぎず、当業者ならは、本発明の本質的特性から外れない範囲で変形された形態で具現することができる。したがって、本発明の範囲は、前述した実施形態に限定されず、特許請求の範囲に記載の内容と同等な範囲内にある多様な実施形態が含まれるように解析しなければならない。
【産業上の利用可能性】
【００３９】
本発明は、船舶通信サービスゲートウェイ装置及び船舶通信サービス提供方法関連の技術分野に適用可能である。
【図１】
2014132743.tif 000003
【図２Ａ】
2014132743.tif 000004
【図２Ｂ】
2014132743.tif 000005
【図３】
2014132743.tif 000006
【図４】
2014132743.tif 000007